【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
ＭＩＭＯ伝送を行う無線通信システムにおいて、
少なくとも送信側にＭＩＭＯ技術が適用された端末装置と、
前記端末装置と通信する基地局装置と、を備え、
前記端末装置は、複数の無線送信部と、前記各無線送信部に接続された送信アンテナと、前記アンテナから送信される信号を生成する制御部と、を有し、
前記基地局装置は、複数の無線受信部と、前記各無線受信部に接続された受信アンテナと、前記端末装置に送信する制御信号を生成する制御部と、を有し、
前記端末装置には、消費電力の上限が定められており、
前記端末装置は、無線規格で定められた最大送信電力でＭＩＭＯ伝送を行うと、前記端末装置の消費電力の上限を超える可能性がある場合、ＭＩＭＯ多重数、変調方式及び符号化率の少なくとも一つを変更して、前記端末装置に許容される許容送信電力で通信可能な通信方式によって通信することを特徴とする無線通信システム。
【請求項２】
請求項１に記載の無線通信システムであって、
前記端末装置は、前記許容送信電力を前記基地局装置に送信し、
前記基地局装置は、
前記受信した許容送信電力と、前記端末装置に送信する制御信号に含まれる送信電力とを比較し、
前記制御信号に含まれる送信電力でＭＩＭＯ伝送を行うと、前記端末の消費電力の上限を超える可能性がある場合、ＭＩＭＯ多重数、変調方式及び符号化率の少なくとも一つを変更して、前記端末装置の許容送信電力で通信可能な通信方式を決定し、
前記決定された通信方式を前記端末に通知し、
前記端末装置は、前記通知に従って通信方式を変更することによって、前記消費電力の上限を超えないで通信することを特徴とする無線通信システム。
【請求項３】
請求項２に記載の無線通信システムであって、
前記基地局装置は、前記通信方式を選択し、前記選択された通信方式によって通信可能な送信電力を決定することを特徴とする無線通信システム。
【請求項４】
請求項２又は３に記載の無線通信システムであって、
前記基地局装置は、
前記受信した許容送信電力と前記端末装置に送信する制御信号に含まれる送信電力とを比較した結果、前記端末装置の消費電力の上限を超える場合、前記変調方式及び前記符号化率の少なくとも一方を送信レートが低くなるように変更し、又は、前記ＭＩＭＯ多重数を減少する変更をすることによって、前記端末装置に通知する送信電力を低減し、
前記二つの変更のうち送信レートが大きい方法を選択することを特徴とする無線通信システム。
【請求項５】
請求項２又は３に記載の無線通信システムであって、
前記端末装置は、前記端末装置の電池残量又はユーザの選択に基づいて設定された許容送信電力を前記基地局装置へ送信することを特徴とする無線通信システム。
【請求項６】
ＭＩＭＯ伝送を行う無線通信システムにおける通信方法であって、
前記無線通信システムは、少なくとも送信側にＭＩＭＯ技術が適用された端末装置と、前記端末装置と通信する基地局装置と、を有し、
前記端末装置は、複数の無線送信部と、前記各無線送信部に接続された送信アンテナと、前記アンテナから送信される信号を生成する制御部と、を有し、
前記基地局装置は、複数の無線受信部と、前記各無線受信部に接続された受信アンテナと、前記端末装置に送信する制御信号を生成する制御部と、を有し、
前記端末装置には、消費電力の上限が定められており、
前記方法は、前記端末装置が、無線規格で定められた最大送信電力でＭＩＭＯ伝送を行うと、前記端末装置の消費電力の上限を超える可能性がある場合、ＭＩＭＯ多重数、変調方式及び符号化率の少なくとも一つを変更して、前記端末装置に許容される許容送信電力で通信可能な通信方式によって通信することを特徴とする通信方法。
【請求項７】
請求項６に記載の通信方法であって、
前記端末装置は、前記許容送信電力を前記基地局装置に送信し、
前記基地局装置は、
前記受信した許容送信電力と、前記端末装置に送信する制御信号に含まれる送信電力とを比較し、
前記制御信号に含まれる送信電力でＭＩＭＯ伝送を行うと、前記端末の消費電力の上限を超える可能性がある場合、ＭＩＭＯ多重数、変調方式及び符号化率の少なくとも一つを変更して、前記端末装置の許容送信電力で通信可能な通信方式を決定し、
前記決定された通信方式を前記端末に通知し、
前記端末装置は、前記通知に従って通信方式を変更することによって、前記消費電力の上限を超えないで通信することを特徴とする通信方法。
【請求項８】
請求項７に記載の通信方法であって、
前記基地局装置は、前記通信方式を選択し、前記選択された通信方式によって通信可能な送信電力を決定することを特徴とする通信方法。
【請求項９】
請求項７又は８に記載の通信方法であって、
前記基地局装置は、前記受信した許容送信電力と前記端末装置に送信する制御信号に含まれる送信電力とを比較した結果、前記端末装置の消費電力の上限を超える場合、前記変調方式及び前記符号化率の少なくとも一方を送信レートが低くなるように変更し、又は、前記ＭＩＭＯ多重数を減少する変更をすることによって、前記端末装置に通知する送信電力を低減し、
前記基地局装置は、前記二つの変更のうち送信レートが大きい方法を選択することを特徴とする通信方法。
【請求項１０】
請求項７又は８に記載の通信方法であって、
前記端末装置は、前記端末装置の電池残量又はユーザの選択に基づいて設定された許容送信電力を前記基地局装置へ送信することを特徴とする通信方法。
【請求項１１】
少なくとも送信側にＭＩＭＯ技術が適用された端末装置と通信する基地局装置であって、
前記端末装置は、複数の無線送信部と、前記各無線送信部に接続された送信アンテナと、前記アンテナから送信される信号を生成する制御部と、を有し、
前記基地局装置は、複数の無線受信部と、前記各無線受信部に接続された受信アンテナと、前記端末装置に送信する制御信号を生成する制御部と、を有し、
前記端末装置には、消費電力の上限が定められており、
前記端末装置が、無線規格で定められた最大送信電力でＭＩＭＯ伝送を行うと、前記端末装置の消費電力の上限を超える可能性がある場合、前記基地局装置は、ＭＩＭＯ多重数、変調方式及び符号化率の少なくとも一つを変更して、前記端末装置に許容される許容送信電力で通信可能な通信方式によって通信するための指示をすることを特徴とする基地局装置。
【請求項１２】
請求項１１に記載の基地局装置であって、
前記端末装置は、前記許容送信電力を前記基地局装置に送信し、
前記基地局装置は、
前記受信した許容送信電力と、前記端末装置に送信する制御信号に含まれる送信電力とを比較し、
前記制御信号に含まれる送信電力でＭＩＭＯ伝送を行うと、前記端末の消費電力の上限を超える可能性がある場合、ＭＩＭＯ多重数、変調方式及び符号化率の少なくとも一つを変更して、前記端末装置の許容送信電力で通信可能な通信方式を決定し、
前記決定された通信方式を前記端末に通知し、
前記端末装置は、前記通知に従って通信方式を変更することによって、前記消費電力の上限を超えないで通信することを特徴とする基地局装置。
【請求項１３】
請求項１２に記載の基地局装置であって、
前記通信方式を選択し、前記選択された通信方式によって通信可能な送信電力を決定することを特徴とする基地局装置。
【請求項１４】
請求項１２又は１３に記載の基地局装置であって、
前記受信した許容送信電力と前記端末装置に送信する制御信号に含まれる送信電力とを比較した結果、前記端末装置の消費電力の上限を超える場合、前記変調方式及び前記符号化率の少なくとも一方を送信レートが低くなるように変更し、又は、前記ＭＩＭＯ多重数を減少する変更をすることによって、前記端末装置に通知する送信電力を低減し、
前記二つの変更のうち送信レートが大きい方法を選択することを特徴とする基地局装置。
【請求項１５】
請求項１２又は１３に記載の基地局装置であって、
前記端末装置の電池残量又はユーザの選択に基づいて設定された許容送信電力を前記端末装置から受信することを特徴とする基地局装置。